(57)【特許請求の範囲】
【請求項１】
ＲＣＣＶ全天候シールドを用いるＲＣＣＶライナ建設工法において、
前記ＲＣＣＶ全天候シールドは、ＲＣＣＶライナの養生屋根及び吊り天秤の両方として使用され、外周部に径方向の大きさが縮小可能な構造を備え、径方向の大きさを縮小する前では径方向の大きさが前記ＲＣＣＶライナの径よりも大きく、
前記ＲＣＣＶライナ建設工法は、
前記ＲＣＣＶ全天候シールドの外周部において径方向の大きさを縮小する工程と、
搬送手段により、前記ＲＣＣＶ全天候シールドを介して前記ＲＣＣＶライナを吊り上げる工程と、
前記ＲＣＣＶライナの設置エリアに、前記搬送手段により、前記ＲＣＣＶ全天候シールドを介して前記ＲＣＣＶライナを搬入する工程と、
を有することを特徴とするＲＣＣＶライナ建設工法。
【請求項２】
ＲＣＣＶ全天候シールドを用いるＲＣＣＶライナ建設工法において、
前記ＲＣＣＶ全天候シールドは、ＲＣＣＶライナの養生屋根及び吊り天秤の両方として使用され、外周部に径方向の大きさが縮小可能な構造を備え、径方向の大きさを縮小する前では径方向の大きさが前記ＲＣＣＶライナの径よりも大きく、
前記ＲＣＣＶライナ建設工法は、
搬送手段により、前記ＲＣＣＶ全天候シールドを介して第１のライナブロックを吊り上げる工程と、
前記搬送手段により、前記ＲＣＣＶ全天候シールドを介して前記第１のライナブロックを第２のライナブロックの上に積み重ね、前記ＲＣＣＶライナを組立てる工程と、
前記ＲＣＣＶ全天候シールドの外周部において径方向の大きさを縮小する工程と、
前記搬送手段により、前記ＲＣＣＶ全天候シールドを介して前記ＲＣＣＶライナを吊り上げる工程と、
前記ＲＣＣＶライナの設置エリアに、前記搬送手段により、前記ＲＣＣＶ全天候シールドを介して前記ＲＣＣＶライナを搬入する工程と、
を有することを特徴とするＲＣＣＶライナ建設工法。
【請求項３】
請求項１または２記載のＲＣＣＶライナ建設工法において、
前記ＲＣＣＶ全天候シールドの径方向の大きさを縮小する工程では、縮小後の前記ＲＣＣＶ全天候シールドの径方向の大きさが前記ＲＣＣＶライナの径以上であるように、前記ＲＣＣＶ全天候シールドの径方向の大きさを縮小するＲＣＣＶライナ建設工法。
【請求項４】
請求項１または２記載のＲＣＣＶライナ建設工法において、
前記ＲＣＣＶ全天候シールドの径方向の大きさを縮小する工程では、前記ＲＣＣＶ全天候シールドの外周部を折りたたむＲＣＣＶライナ建設工法。
【請求項５】
請求項１または２記載のＲＣＣＶライナ建設工法において、
前記ＲＣＣＶ全天候シールドの径方向の大きさを縮小する工程では、前記ＲＣＣＶ全天候シールドの外周部の着脱可能部を取り外すＲＣＣＶライナ建設工法。
【請求項６】
請求項１または２記載のＲＣＣＶライナ建設工法において、
前記ＲＣＣＶ全天候シールドの径方向の大きさを縮小する工程では、前記ＲＣＣＶ全天候シールドの外周部のスライド部を、前記ＲＣＣＶ全天候シールドの径方向内側に向かってスライドさせるＲＣＣＶライナ建設工法。
【請求項７】
請求項１または２記載のＲＣＣＶライナ建設工法において、
前記ＲＣＣＶ全天候シールドの径方向の大きさを縮小する工程では、前記ＲＣＣＶ全天候シールドの周方向の一部について、前記ＲＣＣＶ全天候シールドの径を縮小するＲＣＣＶライナ建設工法。
【発明の詳細な説明】
【技術分野】
【０００１】
本発明は、原子力プラントにおけるＲＣＣＶライナの建設工法に係わり、より詳細には、ＲＣＣＶ全天候シールドを用いるＲＣＣＶライナ建設工法に関する。
【背景技術】
【０００２】
原子力プラントにおけるＲＣＣＶ（鉄筋コンクリート製原子炉格納容器）は、核分裂物質が外部に漏れることを防止するためのもので、内側にはライナと呼ばれる円筒形の鋼製プレートが張られた構造となっており、大きさは高さと直径が約３０ｍにもなる。ＲＣＣＶのライナ（以下「ＲＣＣＶライナ」と称し、単に「ライナ」とも称する）は、鋼板のみで約４００ｔにもなる巨大構造物である。このため、通常、工場にてライナを構成する板を製作して現地に輸送し、原子炉建屋の周辺にて複数のブロック（ライナブロック）を作製し、ライナブロックを積み重ねて一体化させてライナを組立てた後、このライナを建屋へ搬入するのが一般的である。従来のライナの組立方法としては、例えば、特許文献１に記載されている。
【０００３】
この際、長期間にわたってライナやライナブロックが風雨や雪にさらされてしまうため、作業効率の向上と工程遅延リスクの緩和を目的に、ライナやライナブロックの外周に設置する作業足場に養生シートを張るとともに、養生屋根にてライナやライナブロックを保護する手法がとられている。
【０００４】
以下、従来のＲＣＣＶライナの建設工程について、図１ａ〜図１ｇを用いて、作業フローの例を説明する。
【０００５】
（１）図１ａは、ライナブロック３Ａの組立てを説明する図である。ライナブロック３Ａは、作業用足場５が設けられた養生エリア内にて組立てる。ライナブロック３Ａの組立て後、養生屋根１を、支持材１１を介してライナブロック３Ａに支持されるように、取り付ける。
【０００６】
（２）図１ｂは、ライナブロック３Ａの吊り上げを説明する図である。ライナブロック３Ａの組立作業が終了後、養生屋根１を取り外す。次に、建屋搬入用に別途用意した天秤（吊り天秤）７とクレーンフック２をワイヤ４で接続し、天秤７とライナブロック３Ａをワイヤ４で接続する。この後、天秤７を介して、ライナブロック３Ａを搬送手段であるクレーンで吊り上げる。
【０００７】
（３）図１ｃは、ライナブロック３Ａ、３Ｂの積み重ねを説明する図である。工程（２）で吊り上げたライナブロック３Ａを、別の作業エリアにて組立てが完了したライナブロック３Ｂ上に吊り込む。開先位置（ライナブロック３Ａと３Ｂの位置）の調整をしながら、ライナブロック３Ａと３Ｂを冶具６にて固定する。この後、開先部の周囲を覆うように、ライナブロック３Ａと作業用足場５の間の隙間に養生シートを被せ、部分養生９を施す。
【０００８】
（４）図１ｄは、ＲＣＣＶライナの組立てを説明する図である。天秤７をライナブロック３Ａから取外し、養生屋根１を、クレーンを用いて搬送し、支持材１１を介してライナブロック３Ａの上に固定する。この後、作業足場５、部分養生９、及び養生屋根１で構成される養生エリア内で作業を行う。作業としては、例えば、ライナブロック３Ａと３Ｂを溶接してＲＣＣＶライナを組立てたり、配管を取り付けたりする。
【０００９】
（５）図１ｅは、ＲＣＣＶライナ３への天秤の接続を説明する図である。ＲＣＣＶライナ３の組立作業の完了後、養生屋根１、部分養生９、及び支持材１１を取り外す。次に、原子炉建屋への搬入用に別途用意した天秤７とクレーンフック２をワイヤ４で接続し、天秤７とＲＣＣＶライナ３をワイヤ４で接続する。
【００１０】
（６）図１ｆは、原子炉建屋へのＲＣＣＶライナ３の搬入を説明する図である。ワイヤ４で接続した天秤７とＲＣＣＶライナ３を、クレーンで吊り上げて原子炉建屋内に搬入する。原子炉建屋には、建屋の鉄骨が先行鉄骨８として組立てられているので、搬入の際には、天秤７とＲＣＣＶライナ３が先行鉄骨８と接触しないようにする。
【００１１】
（７）図１ｇは、ＲＣＣＶライナ３への養生屋根１’の設定を説明する図である。ＲＣＣＶライナ３を原子炉建屋に搬入し据付けた後、クレーンを用いて天秤７を取り外す。この後、別途用意した養生屋根１’を、クレーンを用いて搬送し、支持材１１を介してＲＣＣＶライナ３の上に設定する。
【００１２】
従来のＲＣＣＶライナ建設は、以上の作業フロー例に従って完了する。
【先行技術文献】
【特許文献】
【００１３】
【特許文献１】特開平８−９４７８５号公報
【発明の概要】
【発明が解決しようとする課題】
【００１４】
原子力プラントでは、ＲＣＣＶライナ（ライナブロックも含む）の外周部の養生のため、養生屋根の周囲部は、ライナの外周部から軒のように張り出している（図１ａ、図１ｄを参照）。一方、冬季での原子炉建屋の建設など作業環境が著しく悪いサイトの場合、建屋作業の雨風及び雪よけのため、建屋を建設する際に、先行鉄骨として鉄骨構造を先行して建て、屋根及び壁面部に養生を行い、天候の影響を緩和するといった工法が採用される場合がある。このような工法では、養生屋根の周囲部が軒のようにライナから出張っている構造であると、ライナを建屋に搬入する際に、養生屋根が建屋鉄骨と干渉してしまう。このため、養生屋根をライナの建屋搬入用の天秤（吊り天秤）と兼用することができず、天秤の付け替え作業や天秤の別途用意が必要となる場合がある。
【００１５】
以上説明したように、従来の技術には、天秤を別途用意したり、天秤を付け替えたりすることにより、コストや工数（工程）が増加するという課題がある。
【００１６】
本発明は、ＲＣＣＶライナ建設工法において、養生屋根の養生機能を損なうことなく、ＲＣＣＶライナ建設のコストの低減、及び工数削減による工程短縮を図ることを目的とする。
【課題を解決するための手段】
【００１７】
本発明によるＲＣＣＶライナ建設工法は、ＲＣＣＶ全天候シールドを用いるＲＣＣＶライナ建設工法であって、次のような特徴を持つ。前記ＲＣＣＶ全天候シールドの外周部において径方向の大きさを縮小する工程と、搬送手段により、前記ＲＣＣＶ全天候シールドを介してＲＣＣＶライナを吊り上げる工程と、前記ＲＣＣＶライナの設置エリアに、前記搬送手段により、前記ＲＣＣＶ全天候シールドを介して前記ＲＣＣＶライナを搬入する工程とを有する。
【発明の効果】
【００１８】
本発明によれば、ＲＣＣＶライナ建設において、養生機能を損なうことなく養生屋根と天秤（吊り天秤）が兼用でき、コストの低減、及び工数削減による工程短縮を図ることができる。
【図面の簡単な説明】
【００１９】
【図１ａ】ライナブロックの組立てを説明する図である。
【図１ｂ】ライナブロックの吊り上げを説明する図である。
【図１ｃ】ライナブロックの積み重ねを説明する図である。
【図１ｄ】ＲＣＣＶライナの組立てを説明する図である。
【図１ｅ】ＲＣＣＶライナへの天秤の接続を説明する図である。
【図１ｆ】原子炉建屋へのＲＣＣＶライナの搬入を説明する図である。
【図１ｇ】ＲＣＣＶライナへの養生屋根の設定を説明する図である。
【図２ａ】ライナブロックの組立てと吊り上げを説明する図である。
【図２ｂ】ライナブロックの積み重ねを説明する図である。
【図２ｃ】ＲＣＣＶライナの組立てを説明する図である。
【図２ｄ】養生屋根の外周部を折りたたんで、養生屋根の径方向の大きさを縮小する作業を説明する図である。
【図２ｅ】原子炉建屋へのＲＣＣＶライナの搬入を説明する図である。
【図２ｆ】ＲＣＣＶライナの搬入完了の状態を示す図である。
【図３ａ】実施例１での折りたたみ構造の概略図である。
【図３ｂ】実施例１での折りたたみ構造を設定した養生屋根の外周部の平面図である。
【図３ｃ】実施例１での折りたたみ構造を設定した養生屋根の外周部の断面図である。
【図３ｄ】実施例１での折りたたみ構造により、養生屋根の径方向の大きさを縮小した状態を示す断面図である。
【図４ａ】実施例２での折りたたみ構造の概略図である。
【図４ｂ】実施例２での折りたたみ構造を設定した養生屋根の外周部の平面図である。
【図４ｃ】実施例２での折りたたみ構造を設定した養生屋根の外周部の断面図である。
【図４ｄ】実施例２での折りたたみ構造により、養生屋根の径方向の大きさを縮小した状態を示す断面図である。
【図５ａ】実施例３での着脱構造を設定した養生屋根の外周部の平面図である。
【図５ｂ】実施例３での着脱構造を設定した養生屋根の外周部の断面図である。
【図６ａ】実施例４での着脱構造の概略図である。
【図６ｂ】実施例４での着脱構造を設定した養生屋根の外周部の平面図である。
【図６ｃ】実施例４での着脱構造を設定した養生屋根の外周部の断面図である。
【図６ｄ】実施例４での着脱構造が取り外され、養生屋根の径方向の大きさを縮小した状態を示す断面図である。
【図７ａ】実施例５での収納構造の概略図である。
【図７ｂ】実施例５での収納構造を設定した養生屋根の外周部の平面図である。
【図７ｃ】実施例５での収納構造を設定した養生屋根の外周部の断面図である。
【図７ｄ】実施例５での収納構造により、養生屋根の径方向の大きさを縮小した状態を示す断面図である。
【発明を実施するための形態】
【００２０】
本発明によるＲＣＣＶライナの建設工法は、養生屋根と吊り天秤の両方の機能を持つＲＣＣＶ全天候シールドを用い、以下の特徴を有する。（１）ＲＣＣＶ全天候シールドをＲＣＣＶライナ（ライナブロックも含む）の養生屋根として使用する際に、支持材を介してＲＣＣＶ全天候シールドをＲＣＣＶライナに固定し、ＲＣＣＶ全天候シールドの荷重をすべてＲＣＣＶライナにて受け持たせる。（２）ＲＣＣＶ全天候シールドの外周部は、ＲＣＣＶ全天候シールドの径方向の大きさを縮小可能とする構造を備える。（３）ＲＣＣＶ全天候シールドの径方向の大きさを縮小可能とする構造は、折りたたみ構造、着脱構造、または収納構造である。（４）天候リスクを緩和するために先行して原子炉建屋の鉄骨構造を立ち上げる工法を採用した原子力発電所に対し、作業効率を改善する建設工法である。
【００２１】
ＲＣＣＶ全天候シールドの径方向の大きさを縮小しない状態では、ＲＣＣＶ全天候シールドの径方向の大きさは、ＲＣＣＶライナの径よりも大きい。ＲＣＣＶ全天候シールドの外周部に設けられた、ＲＣＣＶ全天候シールドの径方向の大きさを縮小可能とする構造により、ＲＣＣＶ全天候シールドの径方向の大きさは、ＲＣＣＶライナの径と等しい大きさまで、縮小することができる。すなわち、縮小後のＲＣＣＶ全天候シールドの径方向の大きさは、最小でＲＣＣＶライナの径と等しくなる。
【００２２】
本発明によるＲＣＣＶライナの建設工法では、ＲＣＣＶ全天候シールドは、外周部が径方向に縮小可能であるため、先行して立ち上げられた原子炉建屋の鉄骨構造との干渉回避が容易である。従って、天候の影響を緩和する工法を適用した原子力プラントに対しても、ＲＣＣＶライナの屋外の組立作業から建屋内搬入までの一連の作業を、養生屋根の養生機能を損なうことなく、一つのＲＣＣＶ全天候シールドを用いて行うことができる。このように、養生屋根と吊り天秤の両方の機能を持つＲＣＣＶ全天候シールドを用いることにより、仮設設備の削減によるコストの低減、及び工数削減による工程短縮が可能となる。
【００２３】
以下、本発明によるＲＣＣＶライナの建設工法の実施例について、図面を用いて説明する。なお、以下の実施例では、養生屋根と吊り天秤の両方の機能を持つＲＣＣＶ全天候シールドのことを、単に「養生屋根」と称する。また、先行して立ち上げられた建屋の鉄骨構造のことを「先行鉄骨」と呼び、養生屋根やライナブロックやＲＣＣＶライナの搬送手段としてクレーンを用いる。
【実施例１】
【００２４】
実施例１での養生屋根（ＲＣＣＶ全天候シールド）は、径方向の大きさを縮小可能とする構造として、外周部に折りたたみ構造を有する。養生屋根の外周部の折りたたみ構造により、先行鉄骨との干渉を回避することができる。以下、本実施例でのＲＣＣＶライナの建設工程について、図２ａ〜図２ｆを用いて、作業フローの例を説明する。
【００２５】
（１）図２ａは、ライナブロック３Ａの組立てと吊り上げを説明する図である。ライナブロック３Ａは、作業用足場５が設けられた養生エリア内にて組立てる。ライナブロック３Ａの組立て後、養生屋根１０を、支持材１１を介してライナブロック３Ａに支持されるように、取り付ける。
【００２６】
養生屋根１０は、外周部に折りたたみ構造を有する。折りたたみ構造の詳細については、後述する。
【００２７】
その後、養生屋根１０とクレーンフック２をワイヤ４で接続し、養生屋根１０とライナブロック３Ａをワイヤ４で接続する。この後、支持材１１と養生屋根１０との固定をはずし、養生屋根１０とライナブロック３Ａを搬送手段であるクレーンで吊り上げる。
【００２８】
この工程では、従来のＲＣＣＶライナの建設方法（図１ａと図１ｂを参照）と比較すると、養生屋根１を取外し、原子炉建屋への搬入用に別途用意した天秤７を接続するという作業が不要であり、養生屋根１０の下での組立作業が効率化できるというメリットがある。 
（２）図２ｂは、ライナブロック３Ａ、３Ｂの積み重ねを説明する図である。工程（１）で吊り上げたライナブロック３Ａを、別の作業エリアにて組立てが完了したライナブロック３Ｂ上に吊り込み、ライナブロック３Ｂの上にライナブロック３Ａを積み重ねる。開先位置（ライナブロック３Ａと３Ｂの位置）の調整をしながら、ライナブロック３Ａと３Ｂを冶具６にて固定する。この後、開先部の周囲を覆うように、ライナブロック３Ａと作業用足場５の間の隙間に養生シートを被せ、部分養生９を施す。
【００２９】
（３）図２ｃは、ＲＣＣＶライナの組立てを説明する図である。養生屋根１０とライナブロック３Ａを、再び支持材１１で固定する。この後、作業足場５、部分養生９、及び養生屋根１０で構成される養生エリア内で作業を行う。作業としては、例えば、ライナブロック３Ａと３Ｂを溶接してＲＣＣＶライナを組立てたり、配管を取り付けたりする。
【００３０】
この工程では、従来のＲＣＣＶライナの建設方法（図１ｄを参照）と比較すると、天秤７をライナブロック３Ａから取外し、クレーンを用いて養生屋根１を搬送するという作業が不要であり、ワイヤ４と天秤７の取外し作業、及び養生屋根１の搬送作業を削減できるというメリットがある。 
（４）図２ｄは、養生屋根１０の外周部を折りたたんで、養生屋根１０の径方向の大きさを縮小する作業を説明する図である。ＲＣＣＶライナ３の組立作業の完了後、ＲＣＣＶライナ３を原子炉建屋へ搬入するために、養生屋根１０の外周部の折りたたみ作業を行う。養生屋根１０の外周部には、折りたたみ構造２０が設けられている。
【００３１】
この工程では、従来のＲＣＣＶライナの建設方法（図１ｅを参照）と比較すると、ＲＣＣＶライナ３の搬入用の天秤７を別途用意し、ＲＣＣＶライナ３とで接続する必要がないというメリットがある。
【００３２】
ここで、図３ａ〜図３ｄを用いて、養生屋根１０の外周部の折りたたみ構造２０の一例と設定例を以下に示す。
【００３３】
図３ａは、養生屋根１０の外周部に設けられる、折りたたみ構造２０の概略図である。折りたたみ構造２０は、ヒンジ部２２、外周支持部材２３、及び支持部材２４を備える。
【００３４】
図３ｂと図３ｃは、それぞれ、折りたたみ構造２０を設定した養生屋根１０の外周部の平面図と断面図である。図３ｂと図３ｃでは、養生屋根１０の外周部の一部分を示しており、外周部は外周部鉄骨２１のみを示している。折りたたみ構造２０は、外周部鉄骨２１に固定され、養生屋根１０の全周囲方向に一定間隔で設置される。
【００３５】
図３ｄは、折りたたみ構造２０により、養生屋根１０の径方向の大きさを縮小した状態を示す断面図である。
【００３６】
折りたたみ構造２０は、ヒンジ部２２を支点に、外周支持部材２３が折りたたみ可能である。通常の状態（養生屋根１０の径方向の大きさを縮小しない状態）では、図３ｃに示すように、外周支持部材２３は、支持部材２４により支持され、養生屋根１０の外周部から径方向外側に突き出している。この突き出した状態の外周支持部材２３に対し、図３ｂに示すように、外周張出し材２５を養生屋根１０の外周部の周方向全体に設定する。外周部鉄骨２１及び外周張出し材２５を利用して、養生屋根１０の外周全面に屋根養生用のシート等（図示せず）を設置することで、ＲＣＣＶライナ３やライナブロック３Ａ、３Ｂの養生機能を、養生屋根１０に持たせることができる。また、図３ｄに示すように、外周支持部材２３は、支持部材２４を取り除くことで、ヒンジ部２２を支点にして下方に折りたたむことができ、養生屋根１０の径方向の大きさを縮小することが可能である。
【００３７】
本実施例による折りたたみ構造では、支持部材２４を着脱するだけで、養生屋根１０の径方向の大きさを容易に縮小することができる。
【００３８】
本実施例でのＲＣＣＶライナの建設工程についての作業フローの説明に戻る。
【００３９】
（５）図２ｅは、原子炉建屋へのＲＣＣＶライナ３の搬入を説明する図である。養生屋根１０の外周部の折りたたみ作業の完了後、ＲＣＣＶライナ３と養生屋根１０をクレーンで吊り上げて、原子炉建屋内に搬入する。原子炉建屋には、建屋の鉄骨が先行鉄骨８として組立てられているので、搬入の際には、ＲＣＣＶライナ３と養生屋根１０が先行鉄骨８と接触しないようにする。養生屋根１０は、径方向の大きさが縮小されているので、建屋内の先行鉄骨８との干渉回避が容易である。
【００４０】
（６）図２ｆは、ＲＣＣＶライナ３の搬入完了の状態を示す図である。ＲＣＣＶライナ３を原子炉建屋に搬入し据付けた後、養生屋根１０とＲＣＣＶライナ３を支持材１１で固定する。クレーンフック２及びワイヤ４を取り外すと、ＲＣＣＶライナ３の搬入が完了となる。
【００４１】
この工程では、従来のＲＣＣＶライナの建設方法（図１ｇを参照）と比較すると、養生屋根１’を別途用意する必要がなく、天秤７を取外し、養生屋根１’を搬送してＲＣＣＶライナ３の上に設定するという作業が不要であるというメリットがある。
【実施例２】
【００４２】
実施例２での養生屋根（ＲＣＣＶ全天候シールド）は、径方向の大きさを縮小可能とする構造として、外周部に、実施例１と異なる折りたたみ構造を有する。実施例２でのＲＣＣＶライナの建設工程は、実施例１と同様であるので、説明を省略する。以下では、図４ａ〜図４ｄを用いて、本実施例での折りたたみ構造の一例と設定例を以下に示す。
【００４３】
図４ａは、養生屋根１０の外周部に設けられる、折りたたみ構造３０の概略図である。折りたたみ構造３０は、ヒンジ部２２、外周支持部材２３、及び支持部材２４を備える。
【００４４】
図４ｂと図４ｃは、それぞれ、折りたたみ構造３０を設定した養生屋根１０の外周部の平面図と断面図である。図４ｂと図４ｃでは、養生屋根１０の外周部の一部分を示しており、外周部は外周部鉄骨２１のみを示している。折りたたみ構造３０は、外周部鉄骨２１に固定され、養生屋根１０の全周囲方向に一定間隔で設置される。
【００４５】
図４ｄは、折りたたみ構造３０により、養生屋根１０の径方向の大きさを縮小した状態を示す断面図である。
【００４６】
折りたたみ構造３０は、ヒンジ部２２を支点に、外周支持部材２３が折りたたみ可能である。通常の状態（養生屋根１０の径方向の大きさを縮小しない状態）では、図４ｃに示すように、外周支持部材２３は、支持部材２４により支持され、養生屋根１０の外周部から径方向外側に突き出している。この突き出した状態の外周支持部材２３に対し、図４ｂに示すように、外周張出し材２５を養生屋根１０の外周部の周方向全体に設定する。外周部鉄骨２１及び外周張出し材２５を利用して、養生屋根１０の外周全面に屋根養生用のシート等（図示せず）を設置することで、ＲＣＣＶライナ３やライナブロック３Ａ、３Ｂの養生機能を、養生屋根１０に持たせることができる。また、図４ｄに示すように、外周支持部材２３は、支持部材２４を取り除くことで、ヒンジ部２２を支点にして上方に折りたたむことができ、養生屋根１０の径方向の大きさを縮小することが可能である。
【００４７】
本実施例による折りたたみ構造では、実施例１による折りたたみ構造と同様に、支持部材２４を着脱するだけで、養生屋根１０の径方向の大きさを容易に縮小することができる。
【実施例３】
【００４８】
実施例３での養生屋根（ＲＣＣＶ全天候シールド）は、径方向の大きさを縮小可能とする構造として、外周部に着脱構造（着脱可能部）を有する。養生屋根の外周部の着脱構造により、先行鉄骨との干渉を回避することができる。実施例３でのＲＣＣＶライナの建設工程は、実施例１と同様であるので、説明を省略する。以下では、図５ａ〜図５ｂを用いて、養生屋根１０の外周部の着脱構造の一例と設定例を以下に示す。
【００４９】
図５ａと図５ｂは、それぞれ、着脱構造４０を設定した養生屋根１０の外周部の平面図と断面図である。図５ａと図５ｂでは、養生屋根１０の外周部の一部分を示しており、外周部は外周部鉄骨２１のみを示している。着脱構造４０は、外周支持部材２３とボルト２６を有し、外周部鉄骨２１に固定され、養生屋根１０の全周囲方向に一定間隔で設置される。外周支持部材２３は、ボルト２６により、外周部鉄骨２１に対して着脱が可能である。
【００５０】
通常の状態（養生屋根１０の径方向の大きさを縮小しない状態）では、外周支持部材２３は、図５ｂに示すように、ボルト２６によって外周部鉄骨２１に固定される。この外周部鉄骨２１に固定された状態の外周支持部材２３に対し、図５ａに示すように、外周張出し材２５を養生屋根１０の外周部の周方向全体に設定する。外周部鉄骨２１及び外周張出し材２５を利用して、養生屋根１０の外周全面に屋根養生用のシート等（図示せず）を設置することで、ＲＣＣＶライナ３やライナブロック３Ａ、３Ｂの養生機能を、養生屋根１０に持たせることができる。また、ボルト２６を取り外すことにより、外周部鉄骨２１から外周支持部材２３を取り外すことができ、養生屋根１０の径方向の大きさを縮小することが可能である。
【００５１】
本実施例による着脱構造では、ボルト２６を着脱するだけで、養生屋根１０の径方向の大きさを容易に縮小することができ、シンプルな構造であるため、軽量・高耐久性を図れるというメリットがある。
【実施例４】
【００５２】
実施例４での養生屋根（ＲＣＣＶ全天候シールド）は、径方向の大きさを縮小可能とする構造として、外周部に、実施例３と異なる着脱構造（着脱可能部）を有する。実施例４でのＲＣＣＶライナの建設工程は、実施例１と同様であるので、説明を省略する。以下では、図６ａ〜図６ｄを用いて、本実施例での着脱構造の一例と設定例を以下に示す。
【００５３】
図６ａは、養生屋根１０の外周部に設けられる、着脱構造５０の概略図である。着脱構造５０は、外周支持部材２３、及び支持部材２４を備える。外周支持部材２３には、フック部２７が設けられている。
【００５４】
図６ｂと図６ｃは、それぞれ、着脱構造５０を設定した養生屋根１０の外周部の平面図と断面図である。図６ｂと図６ｃでは、養生屋根１０の外周部の一部分を示しており、外周部は外周部鉄骨２１のみを示している。着脱構造５０は、外周支持部材２３のフック部２７により、外周部鉄骨２１に固定され、養生屋根１０の全周囲方向に一定間隔で設置される。
【００５５】
図６ｄは、着脱構造５０が外周部鉄骨２１から取り外され、養生屋根１０の径方向の大きさを縮小した状態を示す断面図である。
【００５６】
通常の状態（養生屋根１０の径方向の大きさを縮小しない状態）では、図６ｃに示すように、外周支持部材２３は、支持部材２４により支持され、養生屋根１０の外周部から径方向外側に突き出している。この突き出した状態の外周支持部材２３に対し、図６ｂに示すように、外周張出し材２５を養生屋根１０の外周部の周方向全体に設定する。外周部鉄骨２１及び外周張出し材２５を利用して、養生屋根１０の外周全面に屋根養生用のシート等（図示せず）を設置することで、ＲＣＣＶライナ３やライナブロック３Ａ、３Ｂの養生機能を、養生屋根１０に持たせることができる。また、図６ｄに示すように、外周支持部材２３と支持部材２４を取り除くことで、養生屋根１０の径方向の大きさを縮小することが可能である。
【００５７】
本実施例による着脱構造では、外周支持部材２３と支持部材２４の着脱が簡易であるため、作業工数の負担が小さいというメリットがある。
【実施例５】
【００５８】
実施例５での養生屋根（ＲＣＣＶ全天候シールド）は、径方向の大きさを縮小可能とする構造として、外周部に収納構造を有する。養生屋根の外周部の収納構造により、先行鉄骨との干渉を回避することができる。実施例５でのＲＣＣＶライナの建設工程は、実施例１と同様であるので、説明を省略する。以下では、図７ａ〜図７ｄを用いて、養生屋根１０の外周部の収納構造の一例と設定例を以下に示す。
【００５９】
図７ａは、養生屋根１０の外周部に設けられる、収納構造６０の概略図である。収納構造６０は、スライド部２８を備える。スライド部２８は、スライドすることで養生屋根１０の径方向について張出し長の調整が可能であり、養生屋根１０の径方向内側に向かって自由に収納可能である。
【００６０】
図７ｂと図７ｃは、それぞれ、収納構造６０を設定した養生屋根１０の外周部の平面図と断面図である。図７ｂと図７ｃでは、養生屋根１０の外周部の一部分を示しており、外周部は外周部鉄骨２１のみを示している。収納構造６０は、外周部鉄骨２１に固定され、養生屋根１０の全周囲方向に一定間隔で設置される。
【００６１】
図７ｄは、収納構造６０により、養生屋根１０の径方向の大きさを縮小した状態を示す断面図である。スライド部２８は、養生屋根１０の径方向内側に向かって収納されており、張出し長が短くなっている。
【００６２】
通常の状態（養生屋根１０の径方向の大きさを縮小しない状態）では、図７ｃに示すように、スライド部２８は、養生屋根１０の径方向外側に向かって張り出している。この張り出した状態のスライド部２８に対し、図７ｂに示すように、外周張出し材２５を養生屋根１０の外周部の周方向全体に設定する。外周部鉄骨２１及び外周張出し材２５を利用して、養生屋根１０の外周全面に屋根養生用のシート等（図示せず）を設置することで、ＲＣＣＶライナ３やライナブロック３Ａ、３Ｂの養生機能を、養生屋根１０に持たせることができる。また、図７ｄに示すように、スライド部２８を養生屋根１０の径方向内側に向かって収納することで、養生屋根１０の径方向の大きさを縮小することが可能である。
【００６３】
本実施例による収納構造では、構造物の着脱が不要であり、スライド部２８の張出し長を変えるだけで、養生屋根１０の径方向の大きさを容易に縮小することができる。また、スライド部２８の張出し長を自由に設定できるので、養生屋根１０の径方向の大きさを、スライド部２８の張出し可能な範囲で任意に設定できるというメリットもある。
【００６４】
以上の実施例１〜５では、養生屋根（ＲＣＣＶ全天候シールド）の径方向の大きさを縮小可能とする構造（折りたたみ構造、着脱構造、または収納構造）は、養生屋根の全周囲方向に一定間隔で設置するとしたが、必ずしも、全周囲方向に一定間隔で設置しなくてもよい。径方向の大きさを縮小可能とする構造は、養生屋根の全周囲に設置しなくてもよく、周方向の一部に設置してもよい。また、設置間隔は、一定でなくてもよい。本実施例による径方向の大きさを縮小可能とする構造は、設置の自由度が大きいことも特徴の一つである。
【００６５】
また、養生屋根（ＲＣＣＶ全天候シールド）の径方向の大きさは、養生屋根の全周囲について等しく縮小しなくてもよい。すなわち、養生屋根の周方向の各部分で、径方向の大きさが異なるように縮小してもよい。養生屋根の外周部に設けられた、養生屋根の径方向の大きさを縮小可能とする構造のうち、一部だけを用いて養生屋根の径方向の大きさを縮小することで、養生屋根の周方向の一部について、径方向の大きさを縮小することができる。養生屋根の径方向の大きさを縮小可能とする構造として収納構造を用いた場合には、スライド部の張出し長を変えることで、養生屋根の周方向の位置に応じて、径方向の大きさを任意に設定できる（ただし、スライド部の張出し可能な範囲で）。このように、本実施例による径方向の大きさを縮小可能とする構造は、養生屋根の径方向の大きさを、養生屋根の周方向に対して等しく縮小することができるだけでなく、周方向に対して異なるように縮小することもできるという特徴もある。
【符号の説明】
【００６６】
１，１’…養生屋根、２…クレーンフック、３…ＲＣＣＶライナ、３Ａ，３Ｂ…ライナブロック、４…ワイヤ、５…作業用足場、６…冶具、７…天秤、８…先行鉄骨、９…部分養生、１０…養生屋根、１１…支持材、２０，３０…折りたたみ構造、２１…養生屋根の外周部鉄骨、２２…ヒンジ部、２３…外周支持部材、２４…支持部材、２５…外周張出し材、２６…ボルト、２７…フック部、２８…スライド部、４０，５０…着脱構造、６０…収納構造。
【図１ａ】
0005642639.tif 000002
【図１ｂ】
0005642639.tif 000003
【図１ｃ】
0005642639.tif 000004
【図１ｄ】
0005642639.tif 000005
【図１ｅ】
0005642639.tif 000006
【図１ｆ】
0005642639.tif 000007
【図１ｇ】
0005642639.tif 000008
【図２ａ】
0005642639.tif 000009
【図２ｂ】
0005642639.tif 000010
【図２ｃ】
0005642639.tif 000011
【図２ｄ】
0005642639.tif 000012
【図２ｅ】
0005642639.tif 000013
【図２ｆ】
0005642639.tif 000014
【図３ａ】
0005642639.tif 000015
【図３ｂ】
0005642639.tif 000016
【図３ｃ】
0005642639.tif 000017
【図３ｄ】
0005642639.tif 000018
【図４ａ】
0005642639.tif 000019
【図４ｂ】
0005642639.tif 000020
【図４ｃ】
0005642639.tif 000021
【図４ｄ】
0005642639.tif 000022
【図５ａ】
0005642639.tif 000023
【図５ｂ】
0005642639.tif 000024
【図６ａ】
0005642639.tif 000025
【図６ｂ】
0005642639.tif 000026
【図６ｃ】
0005642639.tif 000027
【図６ｄ】
0005642639.tif 000028
【図７ａ】
0005642639.tif 000029
【図７ｂ】
0005642639.tif 000030
【図７ｃ】
0005642639.tif 000031
【図７ｄ】
0005642639.tif 000032